(57)【特許請求の範囲】
【請求項１】
公共の車輌に設置される紙媒体に印刷された、もしくは、電子的なディスプレイに表示された広告の中に、ネットワーク上のサーバアドレスと、前記広告が掲示されている車輌固有の識別記号を含むアクセスキーが文字列として表示され、
前記サーバは、
アクセスキーと車輌情報とを対応付ける情報、車輌情報に対応した乗り物の運行情報、及び、位置情報と提供すべき情報とを対応付ける情報を記憶する記憶手段を備えており、
前記サーバにおいて、
通信情報管理部が、端末からの前記アクセスキーに基づくアクセスを受付けて当該アクセスキーを取得し、
位置情報管理部が、前記通信情報管理部の取得した前記アクセスキーにより前記記憶手段を検索して、前記広告が掲示されている乗り物の車輌情報を特定し、特定した当該車輌情報により前記記憶手段を検索して前記乗り物の運行情報を取得し、取得した当該運行情報と現在の時刻とから現在の位置を特定し、
広告情報管理部が、前記位置情報管理部の特定した前記位置の情報により前記記憶手段を検索して提供すべき情報を特定し、特定した当該情報を当該サーバにアクセスした前記端末に対して送信することを特徴とする広告情報提供方法。
【請求項２】
公共の車輌に設置される紙媒体に印刷された、もしくは、電子的なディスプレイに表示された広告の中に文字列として示される、ネットワーク上のサーバアドレスと前記広告が掲示されている車輌固有の識別記号を含むアクセスキーに基づく端末装置からのアクセスに応答して、その広告情報を提供する広告情報提供サーバシステムであって、
アクセスキーと車輌情報とを対応付ける情報、車輌情報に対応した乗り物の運行情報、及び、位置情報と提供すべき情報とを対応付ける情報を記憶する記憶手段と、
前記端末装置からの前記アクセスキーに基づくアクセスを受付けて当該アクセスキーを取得する通信情報管理部と、
前記通信情報管理部の取得した前記アクセスキーにより前記記憶手段を検索して、前記広告が掲示されている乗り物の車輌情報を特定し、特定した当該車輌情報により前記記憶手段を検索して前記乗り物の運行情報を取得し、取得した当該運行情報と現在の時刻とから現在の位置を特定する位置情報管理部と、
前記位置情報管理部が特定した前記位置の情報により前記記憶手段を検索して提供すべき情報を特定し、特定した当該情報を前記端末装置に対して送信する広告情報管理部とを備えたことを特徴とする広告情報提供サーバ。
【請求項３】
公共の車輌に設置される紙媒体に印刷された、もしくは、電子的なディスプレイに表示された広告の中に文字列として示される、ネットワーク上のサーバアドレスと前記広告が掲示されている車輌固有の識別記号を含むアクセスキーに基づく端末装置からのアクセスに応答して、その広告情報を提供する広告情報提供サーバのためのサーバプログラムを記録したコンピュータ読み取り可能な記録媒体であって、
前記端末装置からの前記アクセスキーに基づくアクセスを受付けて当該アクセスキーを取得するステップと、
アクセスキーと車輌情報とを対応付ける情報、車輌情報に対応した乗り物の運行情報、及び、位置情報と提供すべき情報とを対応付ける情報を記憶する記憶手段を、取得した前記アクセスキーにより検索して前記広告が掲示されている乗り物の車輌情報を特定し、特定した当該車輌情報により前記記憶手段を検索して前記乗り物の運行情報を取得し、取得した当該運行情報と現在の時刻とから現在の位置を特定するステップと、
特定した前記位置の情報により前記記憶手段を検索して提供すべき情報を特定し、特定した当該情報を前記端末装置に対して送信するステップとをコンピュータに実行させるためのサーバプログラムを記録した記録媒体。
【発明の詳細な説明】
【０００１】
【発明の属する技術分野】
本発明は、街頭、駅等の公共の場所、あるいは列車やバス等公共の乗り物向けの広告情報提供システムに用いて好適な広告情報提供方法ならびにそのサーバに関し、特にユーザが持つ携帯電話やＰＤＡ（Personal  Digital  Assistants）等の携帯端末装置に詳細な広告情報を提供することのできる、広告情報提供方法ならびにそのサーバおよび同方法がプログラムされ記録された記録媒体に関する。
【０００２】
【従来の技術】
従来の街頭、駅および車内向けの広告情報提供システムでは、街頭、駅などの公共の場所、あるいは列車やバス等の車内に設置された紙媒体に広告を表示するか、同じく街頭、駅および車内に設置された電子的なディスプレイに広告を表示し、ユーザにその閲覧を促していた。また、その広告表示の中に、インターネット上のＷＷＷ（World-Wide-Web）サーバアドレスを記載し、それぞれユーザに閲覧を促していた。
【０００３】
【発明が解決しようとする課題】
従来の街頭、駅および車内向け広告情報提供システムでは、単に街頭や駅、あるいは車内で広告情報を提供するのみであったため、後に参照するのが困難であった。また、ユーザが広告中に表示されたサーバにアクセスしてその詳細情報を得たとしても、広告主側からはどの広告情報が閲覧されたのかを調べることができなかったため広告効果について知ることかできず、費用対効果の高い広告情報の提供の仕方を模索することが困難であった。
【０００４】
本発明は上記事情に鑑みてなされたものであり、公共の場所に設置される紙媒体に印刷された、もしくは、電子的なディスプレイに表示された広告の中に、ネットワーク上のサーバアドレスと広告が掲示されている場所固有の識別記号を含むアクセスキーを表示し、ユーザが端末装置を介しそのアクセスキーに基づくサービスを要求することにより、その場所に応じた適切な広告情報を得るとのできる広告情報提供方法ならびにそのサーバを提供することを目的とする。
【０００５】
また、公共の乗り物等の車輌に設置される紙媒体に印刷された、もしくは、電子的なディスプレイに表示された広告の中に、ネットワーク上のサーバアドレスと広告が掲示されている車輌固有の識別記号を含むアクセスキーを表示し、ユーザが端末装置を介しそのアクセスキーに基づくサービスを要求することにより、その車輌の運行状況に応じた適切な広告情報を得るとのできる広告情報提供方法ならびにそのサーバを提供することも目的とする。
更に、そのアクセスキーから広告の掲示場所もしくは車輌を特定し、これら情報を含めアクセス履歴として保存することにより、顧客情報として活用できる、広告情報提供方法およびそのサーバを提供することも目的とする。
【０００８】
【課題を解決するための手段】
上記した課題を解決するために本発明は、公共の車輌に設置される紙媒体に印刷された、もしくは、電子的なディスプレイに表示された広告の中に、ネットワーク上のサーバアドレスと、前記広告が掲示されている車輌固有の識別記号を含むアクセスキーが文字列として表示され、前記サーバは、アクセスキーと車輌情報とを対応付ける情報、車輌情報に対応した乗り物の運行情報、及び、位置情報と提供すべき情報とを対応付ける情報を記憶する記憶手段を備えており、前記サーバにおいて、通信情報管理部が、端末からの前記アクセスキーに基づくアクセスを受付けて当該アクセスキーを取得し、位置情報管理部が、前記通信情報管理部の取得した前記アクセスキーにより前記記憶手段を検索して、前記広告が掲示されている乗り物の車輌情報を特定し、特定した当該車輌情報により前記記憶手段を検索して前記乗り物の運行情報を取得し、取得した当該運行情報と現在の時刻とから現在の位置を特定し、広告情報管理部が、前記位置情報管理部の特定した前記位置の情報により前記記憶手段を検索して提供すべき情報を特定し、特定した当該情報を当該サーバにアクセスした前記端末に対して送信することを特徴とする。
【００１１】
上記した課題を解決するために本発明は、公共の車輌に設置される紙媒体に印刷された、もしくは、電子的なディスプレイに表示された広告の中に文字列として示される、ネットワーク上のサーバアドレスと前記広告が掲示されている車輌固有の識別記号を含むアクセスキーに基づく端末装置からのアクセスに応答して、その広告情報を提供する広告情報提供サーバシステムであって、アクセスキーと車輌情報とを対応付ける情報、車輌情報に対応した乗り物の運行情報、及び、位置情報と提供すべき情報とを対応付ける情報を記憶する記憶手段と、前記端末装置からの前記アクセスキーに基づくアクセスを受付けて当該アクセスキーを取得する通信情報管理部と、前記通信情報管理部の取得した前記アクセスキーにより前記記憶手段を検索して、前記広告が掲示されている乗り物の車輌情報を特定し、特定した当該車輌情報により前記記憶手段を検索して前記乗り物の運行情報を取得し、取得した当該運行情報と現在の時刻とから現在の位置を特定する位置情報管理部と、前記位置情報管理部が特定した前記位置の情報により前記記憶手段を検索して提供すべき情報を特定し、特定した当該情報を前記端末装置に対して送信する広告情報管理部とを備えたことを特徴とする。
【００１３】
上記構成において、公共の乗り物に掲載される紙媒体に印刷された広告、もしくは電子的なディスプレイに表示された広告には、列車番号などの車輌固有の識別記号を含むアクセスキーが広告中に文字列として表示されており、ユーザが端末装置を介し、当該アクセスキーに基づくアクセスを行なうことにより、広告情報提供サーバは、そのアクセスキーからその広告が掲示されている乗り物の車輌情報を特定し、更にその車輌情報から乗り物の運行情報を取得する。そして、その運行情報と現在時刻とからユーザの現在の位置を特定し、特定した位置に応じた広告情報を要求のあったユーザに提供する。
このことにより、低コストな紙媒体の広告を利用でき、かつ、ユーザが広告を閲覧した車輌の運行状況に応じて適切な広告を提供可能となるため、費用対効果の高い広告情報の提供が可能となる。
【００１６】
上記した課題を解決するために本発明は、公共の車輌に設置される紙媒体に印刷された、もしくは、電子的なディスプレイに表示された広告の中に文字列として示される、ネットワーク上のサーバアドレスと前記広告が掲示されている車輌固有の識別記号を含むアクセスキーに基づく端末装置からのアクセスに応答して、その広告情報を提供する広告情報提供サーバのためのサーバプログラムを記録したコンピュータ読み取り可能な記録媒体であって、前記端末装置からの前記アクセスキーに基づくアクセスを受付けて当該アクセスキーを取得するステップと、アクセスキーと車輌情報とを対応付ける情報、車輌情報に対応した乗り物の運行情報、及び、位置情報と提供すべき情報とを対応付ける情報を記憶する記憶手段を、取得した前記アクセスキーにより検索して前記広告が掲示されている乗り物の車輌情報を特定し、特定した当該車輌情報により前記記憶手段を検索して前記乗り物の運行情報を取得し、取得した当該運行情報と現在の時刻とから現在の位置を特定するステップと、特定した前記位置の情報により前記記憶手段を検索して提供すべき情報を特定し、特定した当該情報を前記端末装置に対して送信するステップとをコンピュータに実行させるためのサーバプログラムを記録した記録媒体である。
【００１７】
【発明の実施の形態】
図１は、本発明が採用される広告情報提供システムのネットワーク接続形態を説明するために引用した図である。
ここに示される広告情報提供システムは、広告情報提供サーバ１０と、インターネット接続が可能な携帯電話、もしくはＰＤＡ等の携帯端末装置３０とが、例えば、インターネット４０のようなネットワークを介して接続される構成になっている。
広告表示ディスプレイとして、紙媒体５１に印刷された、もしくはインターネット４０に接続された電子的なディスプレイ（電子媒体５２）のいずれかが使用され（両方も可）、この紙媒体５１あるいは電子媒体５２に表示された広告の中には、図４に示されるように、広告本体の他に、ネットワーク上にある広告情報提供サーバのサーバアドレス（ｈｔｔｐ：／／ｗｗｗ．○○○．ｃｏｍ／）と、その広告が掲示されている場所、もしくは車輌に固有の識別記号を含んだアクセスキー、ここでは”１２３４５６７８”が表示されてあるものとする。アクセスキーの上位４桁”１２３４”は広告の種類を示し、下位４桁”５６７８”は、場所、もしくは車輌を示すものとする。
【００１８】
図１に示す広告情報提供サーバ１０の内部構成例を２例、それぞれ図２、図３に示す。
図２に示す広告情報提供サーバ１０は、ユーザが街頭や駅等公共の場所に設置された広告を閲覧し、その広告中に記載されているサーバアドレスに従い携帯端末装置３０を用いてアクセスを行うと共に、そのアクセスキーを入力することにより、広告を閲覧している場所に対応して広告内容を変化させる場合の実施形態である。
また、図３に示す広告情報提供サーバ１０は、ユーザが乗り物等の車輌に表示されている広告を閲覧し、その広告中に記載されている広告情報提供サーバ１０のアドレスに従い携帯端末装置３０を用いてアクセスを行うと共にそのアクセスキーを入力することにより、広告を閲覧している車輌に対応して広告内容を変化させる場合の実施形態である。
【００１９】
なお、通常は１個の広告情報提供サーバ１０（２０）で複数種類の広告のための処理を行うが、ここでは、アクセスキーに広告の種類が特定できる情報を含ませて表示し、広告情報提供サーバ１０（２０）はそのアクセスキーから広告の種類を特定して処理を進めるものとする。勿論、広告の種類毎にアクセスすべき広告情報提供サーバを変更し、１個の広告情報提供サーバで１種類の広告のみを扱う方法もある。図２、図３に示す実施形態とも１個の広告情報提供サーバで複数種類の広告を扱うものとして説明する。
【００２０】
図２は、広告情報提供サーバ１０の内部構成を機能展開して示したブロック図であり、データベース（ＤＢ）を除く各ブロックともに、具体的にはＣＰＵならびにメモリを含む周辺ＬＳＩで構成され、ＣＰＵがメモリに記録されたオペレーティングシステム（ＯＳ）１６を含むプログラムを読み出し逐次実行することにより以下に示すブロックが持つ各機能を実現するものである。
広告情報提供サーバ１０は、位置情報管理部１１、位置情報ＤＢ１２、通信情報管理部１３、広告情報管理部１４、オペレーティングシステム（ＯＳ）１６、アクセス履歴ＤＢ１７、広告情報ＤＢ１８で構成される。
【００２１】
位置情報管理部１１は、アクセスキーから位置情報ＤＢ１２を参照することにより広告の掲示場所を特定する機能を持つ。また、通信情報管理部１３は、携帯端末装置３０からのサーバアクセスを受付け、そのアクセスキーを取得する機能を持つ。広告情報管理部１４は、掲示場所を含む携帯端末装置３０のアクセス履歴をアクセス履歴ＤＢ１７に保存する他に、広告情報ＤＢ１８を参照することにより携帯端末装置３０に対し、広告の掲示場所に応じて提供する情報を変化させる機能を持つ。
位置情報ＤＢ１２のデータ構造の一例は図６に、広告情報ＤＢ１８のデータ構造の一例は、図７、図８に、アクセス履歴ＤＢ１７のデータ構造の一例は、図９にそれぞれ示されており、それらデータ構造については動作説明の欄で述べる。
【００２２】
図１０は、図２に示す広告情報提供サーバ１０の動作を説明するために引用したフローチャートである。
以下、図１０に示すフローチャートを参照しながら、図２、ならびに図４から図９に示す本発明実施形態の動作について詳細に説明する。
まず、ユーザは、街頭、もしくは駅で、紙媒体５１もしくは、電子媒体５２による広告表示ディスプレイを閲覧する。広告表示ディスプレイによる表示例は図４に示されている。ユーザは、広告中のアドレス（ｈｔｔｐ：／／ｗｗｗ．○○○．ｃｏｍ／）で示される広告情報提供サーバ１０に対し、ユーザが持つ携帯端末装置３０を操作することによりアクセスを行ない、広告情報のサービス要求を行なう。
【００２３】
アクセスを受けた広告情報提供サーバ１０の通信情報管理部１３は、アクセスキーの入力を促す画面をユーザが持つ携帯端末装置３０へ送信する。アクセスキーの入力を促す画面構成の一例を図５に示す。
ユーザは、図５に示す表示画面を確認しながらアクセスキー、ここでは”１２３４５６７８”を入力し、広告情報提供サーバ１０の通信情報管理部１３に送信する。
広告情報提供サーバ１０の通信情報管理部１３は、先に入力されたアクセスキーを取得し（ステップＳ１０１）、そのアクセスキーから、広告掲載場所固有の識別記号”５６７８”と、広告内容毎に付された広告識別記号”１２３４”を抽出する（ステップＳ１０２）。そして、通信情報管理部１３は、場所固有の識別記号”５６７８”を位置情報管理部１１に渡し、また、広告識別記号”１２３４”を広告情報管理部１４に渡す。そして、アクセスキーから広告の種類を特定し（ステップＳ１０３）、また、広告の掲示場所を特定する（ステップＳ１０４）。
【００２４】
すなわち、位置情報管理部１１は、場所固有の識別記号を通信情報管理部１３から受け取り、この識別記号が街頭もしくは駅の場合は、図６にそのデータ構造が示される位置情報ＤＢ１２から対応する広告の掲示場所を検索し（”５６７８”から新橋駅）、その検索結果を広告情報管理部１４に渡す。また、広告情報管理部１４は、通信情報管理部１３から広告識別記号を受信して図７に示す広告情報ＤＢ１８を検索して広告の種類を検索する（”１２３４”から”ｈｔｔｐ：／／ｗｗｗ．△△△△．ｃｏｍ／）。
【００２５】
次に、広告情報管理部１４は、通信情報管理部１３から先の広告識別記号を受信し、また、位置情報管理部１１から、広告の掲示場所の情報を受信して場所に応じて決められた適切な広告の検索を行う（ステップＳ１０４）。すなわち、広告識別記号、および広告の掲示場所の情報を検索キーとして図８に示す広告情報ＤＢ１８から対応する広告を検索し（”１２３４”と「新橋駅」から”ｈｔｔｐ：／／ｗｗｗ．△△△△．ｃｏｍ／ｓｈｉｍｂａｓｈｉ／）、通信情報管理部１３へ渡して要求のあったユーザの携帯端末装置３０へ広告情報を送信する（ステップＳ１０５）。同時に、アクセスのあった時刻、アクセスのあった場所、電話番号等のユーザ情報、ユーザに提供した広告ＩＤ他を、アクセス履歴ＤＢ１７に格納する（ステップＳ１０６）。アクセス履歴ＤＢ１７のデータ構造の一例は図９に示されている。
【００２６】
以上説明のように、広告情報管理部１４は、広告情報ＤＢ１８を検索するときに、広告識別記号と広告が掲示されている場所を検索キーとして使用することにより、ユーザが広告を閲覧している場所に応じて異なる内容の広告を提供することができる。なお、広告情報の送信（ステップＳ１０５）とアクセス履歴の保存（ステップＳ１０６）の両方を処理することは必須ではなく、いずれか一方のみ処理しても構わない。
【００２７】
図３に示す広告情報提供サーバ２０は、ユーザが乗り物等の車輌に表示されている広告を閲覧し、その広告中に記載されている広告情報提供サーバ１０のアドレスに従い携帯端末装置３０を用いてアクセスを行うと共にそのアクセスキーを入力することにより、広告を閲覧している車輌に対応して広告内容を変化させる場合の実施形態であることは上記したとおりである。
図３に示す広告情報提供サーバ１０は、図２に示す実施形態同様、位置情報管理部２１、通信情報管理部２３、広告情報管理部２４で構成される。
なお、図３中、図２に示すブロックと同一番号の付されたブロックは図２に示すそれと同じとする。
【００２８】
位置情報管理部２１は、アクセスキーから広告が掲示されている乗り物の車輌情報を特定する機能を持ち、通信情報管理部２３は、携帯端末装置３０からのアクセスキーに基づくアクセスを受付けてそのアクセスキーを取得する機能を持つ。また、広告情報管理部２４は、車輌情報から車輌に関する運行情報を取得し、要求のあった携帯端末装置３０に対して運行情報に応じて提供する情報を変化させる機能を持つ。
図２に示す実施形態との基本的な差異は、データベースとして用意される位置情報ＤＢ２２とアクセス履歴ＤＢ２７と広告情報ＤＢ２８に更に、運行情報ＤＢ２５が付加されたことにある。運行情報ＤＢ２５のデータ構造は図１３にその一例が示されている。また、そのときに使用される広告情報ＤＢ２８、位置情報ＤＢ２２、アクセス履歴ＤＢ２７のデータ構造の一例を、それぞれ、図１１、図１２、図１４に示す。
【００２９】
図１５は、図３に示す広告情報提供サーバ１０の動作を説明するために引用したフローチャートである。
以下、図１５に示すフローチャートを参照しながら図３、ならびに図１１から図１４に示す本発明実施形態の動作について詳細に説明する。
ユーザが、車輌内で、紙媒体５１もしくは、電子媒体５２による広告表示ディスプレイを閲覧してから広告情報提供サーバ２０のアクセスを行ない、図５に示す表示画面を使用してアクセスキーを入力し、また、そのアクセスキーから広告の種類を特定するまでに至る処理（ステップＳ１５１〜Ｓ１５３）は図２に示す広告情報提供サーバ１０と同様であるため、重複を避ける意味で説明を省略する。なお、アクセスキーの下位４桁”５６７８”は車輌情報を示す。
【００３０】
位置情報管理部２１は、車輌固有の識別記号”５６７８”を通信情報管理部２３から受け取り、図１２にそのデータ構造が示される位置情報ＤＢ２２から対応する車輌番号を検索する。
すなわち、位置情報管理部２１は、車輌固有の識別記号”５６７８”から車輌番号「東京０２３」を特定する（ステップＳ１５４）。また、位置情報管理部２１は、図１３に示す運行情報ＤＢ１５を検索することによって運行情報を取得し、現在時刻とその運行情報からユーザの位置を推測し、次の停車駅の情報を利用者に提示するように制御する（ステップＳ１５５）。図１３に示す例では、１０時３０分前であれば名古屋駅、１０時３０分後であれば東京駅であるとし、その情報を次のステップに渡す。
【００３１】
次に、広告情報管理部２４は、通信情報管理部２３から先の広告識別記号を受信し、また、位置情報管理部２１から車輌の運行情報を受信し、車輌に応じた広告情報の検索を行う（ステップＳ１５６）。
すなわち、先に得られた広告識別記号”１２３４”とステップＳ１５５で得られた場所（「東京駅」等）から図１１に示す広告情報ＤＢ２８を検索し、広告ＩＤ”ｈｔｔｐ：／／ｗｗｗ．△△△△．ｃｏｍ／ｔｏｋｙｏ／”を得て通信情報管理部１３へ渡し、要求のあったユーザの携帯端末装置３０へその広告情報を送信する（ステップＳ１５７）。同時に、アクセスのあった時刻、アクセスのあった車輌（列車）番号、行き先、ユーザに提供した広告ＩＤ、電話番号等のユーザ情報他をアクセス履歴ＤＢ２７に格納する（ステップＳ１５８）。アクセス履歴ＤＢ２７のデータ構造の一例は図１４に示されている。
【００３２】
以上説明のように、広告情報管理部２４は、広告情報ＤＢ２８を検索するときに、広告識別記号と広告が掲示されている車輌の運行情報を検索キーとして使用することにより、ユーザが広告を閲覧している車輌の運行情報に応じて異なる内容の広告を提供することができる。
なお、図２に示す実施形態同様、広告情報の送信（ステップＳ１５７）とアクセス履歴の保存（ステップＳ１５８）の両方を処理することは必須ではなく、いずれか一方のみ処理しても構わない。
【００３３】
以上説明のように本発明は、街頭や駅などの公共の場所に掲載された広告、もしくは電子的なディスプレイに表示された広告の中には、広告が掲示されている場所の識別記号を含むアクセスキーが表示されており、ユーザが端末装置を介し、そのアクセスキーに基づく閲覧を行なうことにより、サーバは、そのアクセスキーから広告の掲示場所を特定し、この掲示場所の情報をアクセス履歴として保存するものであり、これらアクセス履歴は顧客情報として活用される。また、広告情報提供サーバは、その掲示場所に応じて適切な広告情報を要求のあったユーザに提供することができる。
一方、乗り物に掲載された広告には、列車番号などの車両固有の識別記号を含むアクセスキーが広告中に表示されており、ユーザが端末装置を介し、そのアクセスキーに基づくアクセスを行なうことにより、広告情報提供サーバ２０は、そのアクセスキーからその広告が掲示されている乗り物の車両情報を特定し、更にその車両情報から乗り物の運行情報を取得し、その運行情報に応じて適切な広告情報を要求のあったユーザに提供するものである。
【００３４】
なお、上記した本発明実施形態においては、広告情報提供サーバ１０（２０）を構成する位置情報管理部１１（２１）と、通信情報管理部１３（２３）と、広告情報管理部１４（２４）のそれぞれで実行される手順をコンピュータ読み取り可能な記録媒体に記録し、この記録媒体に記録されたプログラムをコンピュータシステムに読み込ませ、実行することにより上述した各装置における機能が実行されるものとする。ここでいうコンピュータシステムとは、ＯＳや周辺機器等のハードウアを含むものである。
【００３５】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３７】
以上、この発明の実施形態を図面を参照して詳述してきたが、具体的な構成はこの実施形態に限られるものではなく、この発明の要旨を逸脱しない範囲の設計等も含まれる。
【００３８】
【発明の効果】
以上説明のように本発明は、乗り物等車輌に設置される紙媒体に印刷された、もしくは、電子的なディスプレイに表示された広告の中に、ネットワーク上のサーバアドレスと車輌に固有の識別記号を含むアクセスキーを表示し、ユーザが端末装置を介しそのアクセスキーに基づくサービスを要求することにより、その場所に応じた適切な広告情報を得ることができるものである。
このことにより、低コストな紙媒体の広告を利用でき、かつ、ユーザが広告を閲覧した車輌の運行状況に応じて適切な広告を提供可能となるため費用対効果の高い有効な広告の提供が可能となる。
【図面の簡単な説明】
【図１】  本発明が採用される広告情報提供システムのネットワーク接続形態を説明するために引用した図である。
【図２】  図１に示す広告情報提供サーバの一実施形態を示す機能展開ブロック図である。
【図３】  図１に示す広告情報提供サーバの他の実施形態を示す機能展開ブロック図である。
【図４】  広告表示ディスプレイによる表示の一例を示す図である。
【図５】  アクセスキーの入力を促す画面構成の一例を示す図である。
【図６】  図２に示す位置情報ＤＢのデータ構造の一例を示す図である。
【図７】  図２に示す広告情報ＤＢのデータ構造の一例を示す図である。
【図８】  図２に示す広告情報ＤＢのデータ構造の一例を示す図である。
【図９】  図２に示すアクセス履歴ＤＢのデータ構造の一例を示す図である。
【図１０】  図２に示す本発明一実施形態の動作を説明するために引用したフローチャートである。
【図１１】  図３に示す広告情報ＤＢのデータ構造の一例を示す図である。
【図１２】  図３に示す位置情報ＤＢのデータ構造の一例を示す図である。
【図１３】  図３に示す運行情報ＤＢのデータ構造の一例を示す図である。
【図１４】  図３に示すアクセス履歴ＤＢのデータ構造の一例を示す図である。
【図１５】  図３に示す本発明の他の実施形態の動作を説明するために引用したフローチャートである。
【符号の説明】
１０（２０）…広告情報提供サーバ、１１（２１）…位置情報管理部、１２（２２）…位置情報ＤＢ、１３（２３）…通信情報管理部、１４（２４）…広告情報管理部、１６（２６）…ＯＳ、１７（２７）…アクセス履歴ＤＢ、１８（２８）…広告情報ＤＢ、２５…運行情報ＤＢ、３０…携帯端末装置、４０…インターネット、５１…紙媒体、５２…電子媒体
【図１】
0003801876.tif 000002
【図２】
0003801876.tif 000003
【図３】
0003801876.tif 000004
【図４】
0003801876.tif 000005
【図５】
0003801876.tif 000006
【図６】
0003801876.tif 000007
【図７】
0003801876.tif 000008
【図８】
0003801876.tif 000009
【図９】
0003801876.tif 000010
【図１０】
0003801876.tif 000011
【図１１】
0003801876.tif 000012
【図１２】
0003801876.tif 000013
【図１３】
0003801876.tif 000014
【図１４】
0003801876.tif 000015
【図１５】
0003801876.tif 000016